【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
ホストコンピュータのグラフィカルユーザインターフェースのナビゲーションを行うように構成されたコンピュータキーボードであって、
手の動きを受け入れるように構成され、第１のユーザ選択可能なモードに従って前記手の動きに応答して、ディスプレイ画面に対して前記ディスプレイ画面のコンテンツアイテムを第１の軸に沿ってスクローリングして、前記第１の軸と直交する第２の軸に沿ったスクローリングが所定の経過時間を超えると、前記第２の軸に沿って前記コンテンツアイテムの動きに対するスクローリングの方向を変更するように構成され、第２のユーザ選択可能なモードに従って前記直交する軸に対してグラフィカルポインタを自由形式で動かすように構成された第１の入力デバイスを含む第１のナビゲーションセクションと、
手の動きを受け入れるように構成され、前記手の動きに応答して、前記直交する軸に対してグラフィカルポインタを動かすように構成された第２の入力デバイスを含む第２のナビゲーションセクションと、
前記第１のナビゲーションセクションと前記第２のナビゲーションセクションの間に横方向に配置されている文字と数字のセクションと
を備えたことを特徴とするコンピュータキーボード。
【請求項２】
前記第１の入力デバイスは、前記手の動きを受け入れるように回転可能に構成された球形部材を含むトラックボールアセンブリと、前記直交する軸の一方に沿ったスクロールについて前記球形部材が回転するときを判定するスクロール感知システムとを含むことを特徴とする請求項１に記載のコンピュータキーボード。
【請求項３】
前記第１の入力デバイスは、前記手の動きを受け入れるように回転可能に構成された球形部材を含むトラックボールアセンブリと、前記第１の軸に沿った第１の方向のスクロールについて前記球形部材が回転するとき、および前記第２の軸に沿った第２の方向のスクロールへの遷移状態変化に応答して、前記球形部材の遷移状態を感知するように構成されているスクロール感知システムとを含むことを特徴とする請求項１に記載のコンピュータキーボード。
【請求項４】
前記第１の入力デバイスは、前記手の動きを受け入れるように回転可能に構成された球形部材を含むトラックボールアセンブリと、前記第１または第２の軸の一方に沿ったスクロールについて前記球形部材が回転するときに前記球形部材の遷移状態を感知するように構成されたスクロール感知システムとを含むことを特徴とする請求項１に記載のコンピュータキーボード。
【請求項５】
前記第１の入力デバイスは、前記手の動きを受け入れるように回転可能に構成された球形部材を含むトラックボールアセンブリと、前記球形部材が前記第１または第２の軸の一方に沿った方向のスクロールについて前記スクロールを維持するために前記方向のスクロールの遷移状態後に閾値レベルまで回転するときを判定するスクロール感知システムとを含むことを特徴とする請求項１に記載のコンピュータキーボード。
【請求項６】
前記第１の入力デバイスおよび前記第２の入力デバイスは、トラックボールデバイスをそれぞれ備えたことを特徴とする請求項１に記載のコンピュータキーボード。
【請求項７】
前記第１の入力デバイスは、スクロールホイールアセンブリを備えたことを特徴とする請求項６に記載のコンピュータキーボード。
【請求項８】
前記第１の入力デバイスは、タッチパッドを備えたことを特徴とする請求項１に記載のコンピュータキーボード。
【請求項９】
前記第１の入力デバイスは、タッチパッドを備え、前記第２の入力デバイスは、トラックボールデバイスを備えたことを特徴とする請求項１に記載のコンピュータキーボード。
【請求項１０】
前記第１の入力デバイスは、トラックボールデバイスを備え、前記第２の入力デバイスは、タッチパッドを備えたことを特徴とする請求項１に記載のコンピュータキーボード。
【請求項１１】
前記第１および第２のユーザ選択可能なモードは、音声入力に応答することを特徴とする請求項１に記載のコンピュータキーボード。
【請求項１２】
前記第１の入力デバイスは、ディスプレイ画面の前記コンテンツアイテムの大きさのスケールを調整するように構成されたことを特徴とする請求項１に記載のコンピュータキーボード。
【請求項１３】
ホストコンピュータのグラフィカルユーザインターフェースのナビゲーションを行うように構成されたコンピュータキーボードであって、
キーボード筐体と、
開口部を有する前記キーボード筐体に配置され、前記開口部内に手の動きを受け入れるように構成された可動ボールを有し、第１のユーザ選択可能なモードに従って前記手の動きに応答して、ディスプレイ画面に対して前記ディスプレイ画面のコンテンツアイテムを垂直方向および水平方向の一方においてスクローリングして、前記垂直および水平方向の他方に沿ったスクローリングが所定の経過時間を越えると、前記垂直および水平方向の他方に沿って前記コンテンツアイテムの動きに対するスクローリングの方向を変更するように構成され、第２のユーザ選択可能なモードに従って前記画像ディスプレイ画面の２つの次元に対してグラフィカルポインタを自由形式で動かすように構成されたトラックボールデバイスと、
手の動きを受け入れるように構成され、前記手の動きに応答して前記画像ディスプレイ画面の２つの次元に対してグラフィカルポインタを動かすように構成された第２の入力デバイスと、
前記トラックボールデバイスと前記第２の入力デバイスとの間に配置された文字と数字のセクションと
を備えたことを特徴とするコンピュータキーボード。
【請求項１４】
前記トラックボールデバイスは、前記垂直スクロールおよび前記水平スクロールについて前記可動ボールが回転するときを判定するスクロール感知システムをさらに含むことを特徴とする請求項１３に記載のコンピュータキーボード。
【請求項１５】
前記トラックボールデバイスは、前記可動ボールが垂直スクロールについて回転するとき、および水平スクロールへの遷移状態変化に応答して、前記可動ボールの遷移状態を感知するように構成されているスクロール感知システムをさらに含むことを特徴とする請求項１３に記載のコンピュータキーボード。
【請求項１６】
前記トラックボールデバイスは、前記可動ボールが水平スクロールについて回転するとき前記可動ボールの遷移状態を感知し、前記遷移状態の変化に応答して、前記水平スクロールを垂直スクロールに変更するように構成されているスクロール感知システムをさらに含むことを特徴とする請求項１３に記載のコンピュータキーボード。
【請求項１７】
前記トラックボールデバイスは、前記可動ボールが垂直スクロールについて該垂直スクロールを維持するために前記水平スクロールの遷移状態後に閾値パラメータまで回転するときを判定するスクロール感知システムをさらに含むことを特徴とする請求項１３に記載のコンピュータキーボード。
【請求項１８】
前記トラックボールデバイスは、前記可動ボールが水平スクロールについて前記垂直スクロールの遷移状態後に閾値パラメータまで回転するときを前記回転中に前記水平スクロールを維持するために判定するスクロール感知システムをさらに含むことを特徴とする請求項１３に記載のコンピュータキーボード。
【請求項１９】
前記第２の入力デバイスは、タッチパッドを備えたことを特徴とする請求項１３に記載のコンピュータキーボード。
【請求項２０】
ホストコンピュータのグラフィカルユーザインターフェースのナビゲーションを行うように構成された無線コンピュータキーボードであって、
筐体と、
手の動きを受け入れるように構成され、第１のユーザ選択可能なモードに従って前記手の動きに応答して、ディスプレイ画面に対して前記ディスプレイ画面のコンテンツアイテムを垂直方向および水平方向の一方においてスクローリングして、前記垂直および水平方向の他方に沿ったスクローリングが所定の経過時間を超えると、前記垂直および水平方向の他方に沿って前記コンテンツアイテムの動きに対するスクローリングの方向を変更するように構成され、第２のユーザ選択可能なモードに従って前記画像ディスプレイ画面の２つの次元に対してグラフィカルポインタを自由形式で動かすように構成された第１の入力デバイスと、
手の動きを受け入れるように構成され、前記手の動きに応答して前記画像ディスプレイ画面の２つの次元に対してグラフィカルポインタを動かすように構成された第２の入力デバイスと、
前記第１の入力デバイスと第２の入力デバイスの間に配置された文字と数字のセクションと
を備えたことを特徴とするコンピュータキーボード。
【請求項２１】
前記第１および第２のユーザ選択可能なモードは、音声入力に応答してトグルされることを特徴とする請求項１３に記載のコンピュータキーボード。
【請求項２２】
前記第１および第２のユーザ選択可能なモードは、音声入力に応答してトグルされることを特徴とする請求項２０に記載のコンピュータキーボード。
【手続補正２】
【補正対象書類名】明細書
【補正対象項目名】００２８
【補正方法】変更
【補正の内容】
【００２８】
図５に示す一実施形態では、１つまたは複数のボタンをキーボード１２０１上に配置してカーソル制御をスクロールモードなどにトグルさせたりすることができる。単一のボタンの構成では、ボタン３００（図５参照）は、多段階設定を有することができる。あるいは、物理ダイヤル（図示せず）にモードを選択するポインタを設けることができる。ボタンまたはダイヤルの実施形態では、キーボード１２０１は、選択された機能に対応する様々な印（ｉｎｄｉｃｉａ）を有することができる。さらに他の実施形態では、キーボード１２０１は、カーソル制御モードとスクロールモードの間でモードを変更するために音声で構成可能とすることができる。例えば、ユーザは、「トラックボール」などの音声コマンドを言ってトラックボールデバイス２２１を構成する準備ができていることを認識することができる。次いでユーザは、「スクロール」と言ってカーソル制御モードからスクロールモードへモード変更することができる。あるいは、ユーザは、「カーソル」または「マウス」と言ってその状態をカーソル移動に変更することができる。このように、ユーザは、他のタスクのために自身の手で作業をすることができる。本発明は、以上に説明した特定の音声コマンドには限定されず、意図した機能を行うために他のコマンドも可能であることを理解されたい。それでもやはり、トグル機能および音声による構成をキーボード１２００、１２０３、１２０５、１２０９、１２１１、または１２１３に提供することができる。
【手続補正３】
【補正対象書類名】図面
【補正対象項目名】図１１
【補正方法】変更
【補正の内容】
【図１１】
2005056396.tif 000001
【手続補正４】
【補正対象書類名】図面
【補正対象項目名】図１２
【補正方法】変更
【補正の内容】
【図１２】
2005056396.tif 000002